(57)【特許請求の範囲】
【請求項１】
金属部分、検知線及び非金属部分を有する遮蔽層を備え前記検知線は一端が接地されており、ケーブル端末部には、前記検知線の断線を検知し前記遮蔽層の劣化を判定するための検知コネクタを備えた検知機能付きケーブルの前記検知コネクタに接続し、前記一端が接地された前記検知線の断線を検出するための、断線測定用リード線が接続された断線検出器であって、
前記断線測定用リード線は、複数本の絶縁線心と、前記複数本の絶縁線心の外周に形成されたシールド層と、当該断線測定用リード線の一端に装着され、前記検知機能付きケーブルの前記遮断層が備える各検知線に対応して前記検知コネクタに設けられ前記検知線の前記接地された端部とは反対側の端部に接続された各コネクタ電極とそれぞれ接続可能な複数の端子を備えた検知ソケットと、を有し、前記検知ソケットの各端子には前記複数本の絶縁線心の導体が各々接続され、前記シールド層は、前記検知ソケットの外ケースに接続されており、
前記断線検出器は、前記測定用リード線を介して前記検知機能付きケーブルの前記検知コネクタに接続して、各々の前記検知線の断線を検出可能に回路構成されていることを特徴とする断線検出器。
【請求項２】
金属部分、検知線及び非金属部分を有する遮蔽層を備え前記検知線は一端が接地されており、ケーブル端末部には、前記検知線の断線を検知し前記遮蔽層の劣化を判定するための検知コネクタを備えた検知機能付きケーブルの前記検知コネクタに接続し、前記一端が接地された前記検知線の断線を検出するための、断線測定用リード線が接続された断線検出器であって、
前記断線測定用リード線は、複数本の絶縁線心と、前記複数本の絶縁線心の外周に形成されたシールド層と、当該断線測定用リード線の一端に装着され、前記検知機能付きケーブルの前記遮断層が備える各検知線に対応して前記検知コネクタに設けられ前記検知線の前記接地された端部とは反対側の端部に接続された各コネクタ電極とそれぞれ接続可能な複数の端子を備えた検知ソケットと、を有し、前記検知ソケットの各端子には前記複数本の絶縁線心の導体が各々接続され、前記シールド層は、前記検知ソケットの外ケースに接続されており、
前記断線検出器は、電源と、測定される検知線の数に対応して配置され、前記電源に接続された断線確認ランプと、電源に接続されたブザーと、を備え、前記測定用リード線を介して前記検知機能付きケーブルの前記検知コネクタに接続して、検知線が断線している場合には、対応する前記断線確認ランプが消灯し、前記ブザーが鳴るように回路構成されていることを特徴とする断線検出器。
【請求項３】
前記検知機能付きケーブルは、複数の検知コネクタを有し、遮蔽層の金属部分及び検知線は、ケーブルの一方の端末部では電気的に接続され、ケーブルの他方の端末部では全ての前記検知線を複数の束に振り分け、各々の束の前記検知線を前記各検知コネクタに電気的に接続したことを特徴とする請求項１又は２の断線検出器。
【請求項４】
ケーブルの少なくとも一方の前記端末部は、半導電部、絶縁部及び保護金具を一体にモールドした端末モールド部を備えたコンセント端末とされ、前記検知コネクタは、前記コンセント端末の保護金具に取り付けられた金属製の保護筒に取り付けられ、又、前記金属部分は前記保護金具に電気的に接続されることを特徴とする請求項３の断線検出器。
【請求項５】
前記検知コネクタは、前記ケーブルの端末部にて直径方向に対向配置されて２個設けられ、前記検知線は二つの束に振り分けられることを特徴とする請求項３又は４の断線検出器。
【発明の詳細な説明】
【０００１】
【発明の属する技術分野】
本発明は、一般には、例えば架空配電線の無停電バイパス工法などで使用されるバイパスケーブルなどのような、遮蔽層の断線を検知することのできる検知機能付きケーブルに設けられた検知コネクタに接続して検知線の断線を検出するための断線検出器に関するものである。
【０００２】
【従来の技術】
例えばバイパスケーブルなどには、保安上の観点とケーブル性能確保の観点から外部半導電層の上に遮蔽層が施されている。通常、この遮蔽層は直径０．１２ｍｍ〜０．２０ｍｍ程度の細径銅線（金属素線）を織り込んだ編組構造とされ、使用中にケーブルに加わる繰り返しの曲げ、張力、捻回などの外力に耐え得るよう構成されている。例えば、図１１に示すように、複数の細径銅線２１を束ねて１単位とした集合体２２と綿糸２３とを用い、集合体２２を一方向に配列し、これと交差する方向に綿糸２３を織り込んだ交織編組を採用するケースが多い。
【０００３】
遮蔽層の金属素線２１が全て断線すると、断線箇所から遠方は非接地となり、大変危険である。そのため、一部の金属素線２１に断線が生じた段階でこれを検知することが望ましい。
【０００４】
しかし、従来の構造のバイパスケーブルは遮蔽層における金属素線２１の断線を効果的に検知できないという問題があった。
【０００５】
【発明が解決しようとする課題】
そこで、本出願人らは、図９及び図１０に示すようなバイパスケーブルを提案した（特願平９−１５２９０５号）。簡単に説明すると、このバイパスケーブルは、図示するように、コア２の上に遮蔽層３を有し、その上にシース４を備えている。コア２は、中心から順に、導体５、内部半導電層６、絶縁体層７、外部半導電層８で構成されている。
【０００６】
又、遮蔽編組層３は金属部分９、検知線１０及び非金属部分１１にて構成され、例えば、金属部分９は錫メッキ軟銅線とされ、検知線１０はエナメル線とされ、非金属部分１１は綿糸とした編組構造とされる。
【０００７】
金属素線となる複数の錫メッキ軟銅線９と少なくとも１本のエナメル線１０とを束ねて集合体１２を形成し、この集合体１２を配列し、他方に綿糸１１を配列して両者１１、１２を織り込むことで交織編組を形成する。遮蔽編組層３中には「一つの集合体に複合されたエナメル線の本数×集合体の本数」のエナメル線１０が織り込まれることになる。金属素線９の総断面積はケーブル遮蔽層３に誘起する電流を大地に流すために必要な値が選択される。
【０００８】
ケーブルが外力を受けて遮蔽編組層３における金属素線９の断線が進展すると、それに伴ってエナメル線１０も断線する。エナメル線１０は絶縁被覆を有するため、断線しても隣接する金属素線９を介して導通路を形成することがない。そのため、各エナメル線１０の導通チェックを行えば確実に金属素線９の断線を検知できる。
【０００９】
このようなケーブルに対して断線検知を行うためには、エナメル線の一端に所定の電圧を印加し、エナメル線の他端を接地する必要がある。このような作業を各エナメル線について行うことは極めて煩雑であり、作業効率が悪い。
【００１０】
従って、本発明の目的は、ケーブルの遮蔽層の金属素線の断線が部分的に発生した段階でも断線を容易に検知することのできる検知コネクタを備えた検知機能付きケーブルに対して、ケーブルの検知コネクタにワンタッチで接続して検知線の断線を極めて容易に検出することのできる、操作性に優れた断線検出器を提供することである。
【００１１】
【課題を解決するための手段】
上記目的は本発明に係る断線検出器にて達成される。要約すれば、本発明の第１の態様によると、金属部分、検知線及び非金属部分を有する遮蔽層を備え前記検知線は一端が接地されており、ケーブル端末部には、前記検知線の断線を検知し前記遮蔽層の劣化を判定するための検知コネクタを備えた検知機能付きケーブルの前記検知コネクタに接続し、前記一端が接地された前記検知線の断線を検出するための、断線測定用リード線が接続された断線検出器であって、
前記断線測定用リード線は、複数本の絶縁線心と、前記複数本の絶縁線心の外周に形成されたシールド層と、当該断線測定用リード線の一端に装着され、前記検知機能付きケーブルの前記遮断層が備える各検知線に対応して前記検知コネクタに設けられ前記検知線の前記接地された端部とは反対側の端部に接続された各コネクタ電極とそれぞれ接続可能な複数の端子を備えた検知ソケットと、を有し、前記検知ソケットの各端子には前記複数本の絶縁線心の導体が各々接続され、前記シールド層は、前記検知ソケットの外ケースに接続されており、
前記断線検出器は、前記測定用リード線を介して前記検知機能付きケーブルの前記検知コネクタに接続して、各々の前記検知線の断線を検出可能に回路構成されていることを特徴とする断線測定用リード線が提供される。本発明の一実施態様によると、前記検知機能付きケーブルは、複数の検知コネクタを有し、遮蔽層の金属部分及び検知線は、ケーブルの一方の端末部では電気的に接続され、ケーブルの他方の端末部では全ての前記検知線を複数の束に振り分け、各々の束の前記検知線は前記各検知コネクタに電気的に接続される。本発明の他の実施態様によると、ケーブルの少なくとも一方の前記端末部は、半導電部、絶縁部及び保護金具を一体にモールドした端末モールド部を備えたコンセント端末とされ、前記検知コネクタは、前記コンセント端末の保護金具に取り付けられた金属製の保護筒に取り付けられ、又、前記金属部分は前記保護金具に電気的に接続される。本発明の好ましい実施態様によると、前記検知コネクタは、前記ケーブルの端末部にて直径方向に対向配置されて２個設けられ、前記検知線は二つの束に振り分けられる。
【００１２】
本発明の第２の態様によると、金属部分、検知線及び非金属部分を有する遮蔽層を備え前記検知線は一端が接地されており、ケーブル端末部には、前記検知線の断線を検知し前記遮蔽層の劣化を判定するための検知コネクタを備えた検知機能付きケーブルの前記検知コネクタに接続し、前記一端が接地された前記検知線の断線を検出するための、断線測定用リード線が接続された断線検出器であって、
前記断線測定用リード線は、複数本の絶縁線心と、前記複数本の絶縁線心の外周に形成されたシールド層と、当該断線測定用リード線の一端に装着され、前記検知機能付きケーブルの前記遮断層が備える各検知線に対応して前記検知コネクタに設けられ前記検知線の前記接地された端部とは反対側の端部に接続された各コネクタ電極とそれぞれ接続可能な複数の端子を備えた検知ソケットと、を有し、前記検知ソケットの各端子には前記複数本の絶縁線心の導体が各々接続され、前記シールド層は、前記検知ソケットの外ケースに接続されており、
前記断線検出器は、電源と、測定される検知線の数に対応して配置され、前記電源に接続された断線確認ランプと、電源に接続されたブザーと、を備え、前記測定用リード線を介して前記検知機能付きケーブルの前記検知コネクタに接続して、検知線が断線している場合には、対応する前記断線確認ランプが消灯し、前記ブザーが鳴るように回路構成されていることを特徴とする断線検出器が提供される。
【００１３】
【発明の実施の形態】
以下、本発明に係る断線検出器を図面に則して更に詳しく説明する。
【００１４】
本実施例にて被試験ケーブルは、先に図９及び図１０を参照して説明したと同様のバイパスケーブルであるとして説明するが、これに限定されるものではない。
【００１５】
先ず、検知機能付きバイパスケーブル１の一例について説明する。本実施例にて、検知機能付きバイパスケーブル１は、コア２の上に遮蔽層３及びシース４が配置されている。コア２は、中心から順に、導体５、内部半導電層６、絶縁体層７、外部半導電層８で構成され、遮蔽層３は金属部分９、検知線１０及び非金属部分１１にて構成される。
【００１６】
又、バイパスケーブル１の遮蔽層３は、本実施例では、上述したと同様に、金属部分９は錫メッキ軟銅線のような金属素線とされ、検知線１０は例えばエナメル線とされ、非金属部分１１は綿糸とした編組構造とされる。金属素線となる複数の錫メッキ軟銅線９と少なくとも１本のエナメル線１０とを束ねて集合体１２を形成し、この集合体１２を配列し、他方に綿糸１１を配列して両者１１、１２を織り込むことで交織編組を形成している。金属素線としては錫メッキ軟銅線のほかに細径の他の銅線を使用することもできる。又、非金属部分１１としては、綿糸のような天然繊維のほか、ポリアミド樹脂などの合成繊維を使用してもよい。
【００１７】
このように、本実施例のバイパスケーブル１は、金属素線９の集合体１２が織り込まれた編組構造の遮蔽編組層３を備え、集合体１２の各々に絶縁被覆を有する少なくとも１本の検知線１０が複合されている。
【００１８】
遮蔽編組層３の断線検知は、断線検知線１０の導通チェックにより行われる。導通チェックは、好ましく、後で説明する断線検出器１００を使用して行う。検知線１０は、導体に絶縁被覆を施したものであれば、特に材質、構造は任意とし得る。検知線１０は、この検知線１０が断線した場合に、隣接する金属素線９を介して導通路を形成しないものであればよい。例えば、上述のように、エナメル線などが好ましい。特に、ＪＩＳ  ３２０２などの規格品が好適に使用し得る。又、検知線１０と金属素線９との複合の仕方も特に限定されない。金属素線９と共に束ねたり、或いは、撚り合わせたりすることもできる。
【００１９】
検知線１０の外径は、金属素線９と同時か、より早く断線するように最適な値を選択する。検知線１０の外径をｄ、金属素線９の外径をＤとしたとき、ｄ／Ｄを０．５〜２．０とすることが好ましい。ケーブル使用中の外力による遮蔽編組層３の断線は、延性破断によるものと、疲労破断によるものとが混在している。延性破断に対してはｄの値が小さいほど、疲労破断に対してはｄが大きいほど断線し易くなる。延性破断が支配的な使用条件では、ｄ／Ｄを０．５以上とし、疲労破断が支配的な使用条件ではｄ／Ｄを２．０以下とするのがよい。
【００２０】
又、遮蔽編組層３の上には、抑えテープ１３、内シース１４、補強層（ケブラー）１５及び外シース１６が配置されている。
【００２１】
斯かる本実施例で使用したバイパスケーブル１のより詳しい構造を表１に示す。
【００２２】
【表１】
0003563275.tif 000002
次に、検知機能付きケーブル１の測定側端末構造の一実施例を説明する。
【００２３】
図１に、バイパスケーブル１の測定側端末の構造１Ａを示す。接続されるケーブルの端末部は接続作業のための端末処理が施され、最先端導体部５から外被シース４へと順次に、導体部５、内部半導電層を含む絶縁体（架橋ポリエチレン又はエチレンプロピレンゴム）層７、外部半導電層８、遮蔽編組層３などが露出される。
【００２４】
このように端末処理されたケーブルの導体部５には導体接続端子３１が接続される。この導体接続端子３１及び端末処理されたケーブル外周上には、半導電部（ＥＰゴム）３２、絶縁部（ＥＰゴム）３３及び保護金具３４を一体にモールドした端末モールド部３０が形成される。
【００２５】
更に説明すると、本実施例では、半導電部３２は、ケーブル導体部５に圧縮接続された導体接続端子３１の内方外周域に配置される。半導電部３２及び端末処理されたケーブル外周部に一体にモールドされた絶縁部３３は、半導電部３２からケーブル外周部へと延在する傾斜部３３Ａと、半導電部３２から軸線方向外方へと、本実施例では左側へと延在する円筒状部３３Ｂとを備えている。傾斜部３３Ａの外周部には自己融着絶縁テープ３５が巻き付けられる。斯かる構成により、導体接続端子３１の外方外周囲と絶縁層３３の外方内周部との間には、このバイパスケーブル端末が接続される被接続端子（図示せず）のための環状空間が形成される。
【００２６】
保護金具３４は、上述のように、絶縁部３３の円筒状部３３Ｂの外周に一体にモールドされる。保護金具３４の外周部は、大径部３４Ａ、中径部３４Ｂ及び小径部３４Ｃを有する段状とされる。保護金具３４の中径部３４Ｂには、大径部３４Ａに隣接する側に接続ナット４０の取付部４１が回転自在に装着される。この取付部４１には、ボールプランジャ４２が配置される。又、接続ナット４０の外側他端は、保護金具３４の大径部３４Ａより更に外方へと延在しており、その内周部にはネジ溝４３が形成される。このネジ溝４３は、非測定時には、図６に示すように、保護キャップ４５が螺着される。保護金具３４の中径部３４Ｂの他側には実質的に円筒状をした、本実施例ではアルニミウムにて作製された保護筒５０の一端が皿小ネジ５１にて固着される。
【００２７】
保護筒５０の他端は絶縁部３３の傾斜部３３Ａへと延在し、その端部に隣接して凹部５２が形成され、この凹部５２内に検知コネクタ５３が取り付けられる。検知コネクタ５３は、保護筒５０に少なくとも１個配置され、本実施例では、図示するように、保護筒５０の直径方向に対向配置して２個設けられる。各検知コネクタ５３は、複数の、本実施例では６本の互いに絶縁されたコネクタ端子（電極）５３ａを備えている。
【００２８】
又、前記凹部５２には、検知コネクタ５３の上に導電性とされる、例えば銅合金のような金属製の検知コネクタ用キャップ５４が着脱自在に螺着される。本実施例にて、検知コネクタ用キャップ５４は、着脱のためのドライバ用溝５４ｄが形成されたフランジ部５４ａと、外周にネジ山が形成された円筒状ネジ部５４ｂと、フランジ部５４ａの中央部に形成されたコンタクト部５４ｃとにて形成される。
【００２９】
従って、このキャップ５４のネジ部５４ｂを前記凹部５２に螺合することにより保護筒５０に取り付け、検知コネクタ５３の上に装着すると、キャップ５４の中央コンタクト部５４ｃが全ての、即ち、本実施例では６本のコネクタ電極５３ａに接触することとなり、検知コネクタ電極５３ａを全て電気的に接続することができる。
【００３０】
図２をも参照するとよりよく理解されるように、ケーブル端末処理により露出された遮蔽編組層３を構成する金属部分９及び、必要により、綿糸１１は、圧着スリーブ６０により錫メッキ軟銅編組線のような平編み導線６１の一端に接続される。錫メッキ軟銅編組線６１の他端は、本実施例では、保護金具３４の小径部３４Ｃに半田付けにより取り付けられる。
【００３１】
ケーブル端末処理により露出した検知線１０は複数の束に、本実施例では二つの束に振り分けられる。バイパスケーブル１に入る検知線１０の本数は、表１から理解されるように、本実施例では、編組加工時のバランスをよくするために各打数毎に１本、計１２本入れる構造とした。従って、本実施例では、１２本の検知線１０は、６本づつの二つの束に振り分けられ、それぞれ各検知コネクタ５３の各電極からのリード線５５と半田付けされ、その後、この部分に熱収縮チューブ５６が被着される。
【００３２】
前記保護筒５０の端部には保護筒モールド７０の一端が一体に設けられ、保護筒モールド７０の他端は、ケーブル外被４に嵌挿される。保護筒モールド端部とケーブル外被との接続部分には自己融着絶縁テープ７１及び粘着ビニルテープ７２が巻き付けられる。
【００３３】
図３に、検知機能付きケーブル１の非測定側端末構造１Ｂの一実施例を示す。
【００３４】
本実施例によると、図３に示すバイパスケーブル１の非測定側端末構造１Ｂは、上記測定側端末構造１Ａと同様とされ、同じ構成及び機能の部材には同じ参照番号を付し詳しい説明は省略し、異なる構成及び部材についてのみ説明する。
【００３５】
本実施例によると、非測定端末１Ｂにおいては、保護筒５０に検知コネクタ５３は設けられていない。又、ケーブル端末処理により露出された遮蔽編組層３を構成する金属部分９及び検知線１０を備えた集合体１２は、必要により綿糸１１と共に、絶縁部３３の傾斜部外周囲に巻き付けられた後、保護金具３４の端部に直接半田付けなどにより接続される。
【００３６】
次に、上記構成の検知機能付きケーブル１における断線検知方法について説明する。
【００３７】
検知機能付きケーブル１にて寿命検知は、検知コネクタ５３が設けられた側、即ち、図１に示す端末部１Ａ、即ち、コンセント端末にて行う。他端、即ち、検知コネクタ５３が設けられていない図３に示すコンセント端末１Ｂは、上述のように、検知線１０と金属部分である錫メッキ軟銅線９とが接続金具３４を介して接続されている。
【００３８】
図４及び図５は、測定時及び非測定時の測定側端末１Ａ及び非測定側端末１Ｂの電気的接続態様を模式的に示す。
【００３９】
つまり、検知機能付きケーブル１において遮蔽層３の寿命検知に際しては、図６に示すように、コンセント端末１Ａの検知キャップ５４を外し、検知コネクタ５３に本発明に係る測定用リード線８０を取り付ける。保護金具３４は、接地する。
【００４０】
図７に、本発明に係る測定用リード線８０の一実施例を示す。又、表２にその構造の一例を示す。つまり、本実施例によると、測定用リード線８０は、遮蔽付きの６芯の絶縁線心を有する。各絶縁線心８１ａ〜８１ｆは、外径０．６ｍｍの導体８２を絶縁体８３で被覆して形成され、絶縁体被覆後の外径は、０．９６ｍｍとされる。導体８２は錫メッキ軟銅より線（構成３／２３／０．０５）とされ、被覆絶縁体８３としてはテフロン樹脂（ＥＴＦＥ）が好適に使用される。本実施例で各絶縁線心８１ａ〜８１ｆは、茶、赤、橙、黄、緑、青と色別された。
【００４１】
【表２】
0003563275.tif 000003
これら６芯の絶縁線心８１ａ〜８１ｆは、外径が２．９ｍｍとなるように、中心介在８４の回りにより合わせ、その外周を紙テープ８５で押さえ巻きする。更に、特殊合金線を多数本横巻きしてシールド層８６を形成した後、その外周に耐熱ビニルにてシース８７が設けられた。シース８７の外径は５．２ｍｍであった。
【００４２】
このような構成の測定用リード線８０の一端には、検知コネクタ５３のコネクタ電極５３ａと容易に接続可能な検知ソケット９０が装着され、他端は、本発明の他の特徴部を構成する断線検出器１００（図６）に接続される。検知ソケット９０は、６個のメス端子を備え、それぞれに６芯の絶縁線心８１ａ〜８１ｆの導体が接続される。絶縁線心８１ａ〜８１ｆが接続された６個のメス端子は、絶縁スペーサにて互いに離隔して検知ソケット９０の外ケース９０Ａに取り付けられる。又、測定用リード線８０のシールド層８６は、その一端が検知ソケット９０の外ケース９０Ａに接続される。
【００４３】
上記構成の測定用リード線８０は、その検知ソケット９０を検知コネクタ５３に接続することにより、リード線８０のシールド層８６がケーブルの保護筒５０に電気的に接続され、接地状態とされる。
【００４４】
検知線１０の断線を測定するには、図４に示すように、リード線８０の各絶縁線心８１ａ〜８１ｆを順次保護金具３４に接続し、コンセント端末の検知コネクタ５３の各電極と保護金具３４間の導通をそれぞれ確認する必要があるが、上記構成のリード線８０を使用することにより、リード線８０の各絶縁線心８１ａ〜８１ｆを順次保護金具３４に接続する手間が省け、操作性が飛躍的に向上する。
【００４５】
図６及び図８に、断線検出器１００及びその電気回路の一実施例を示す。本実施例によると、３Ｖとされる直流電源１０１に直列に電源表示ランプ１０２を備えたスイッチ１０３が接続される。
【００４６】
断線検出器１００には、本実施例では、図６及び図７に示すように、測定される検知線１０の数に対応して１２個の、例えば発光ダイオードとされる断線確認ランプ１０４Ａ〜１０４Ｌが配置される。第１〜第６までの確認ランプ１０４Ａ〜１０４Ｆは、第１の検知コネクタ５３の第１〜第６の検知コネクタ電極５３ａに接続された第１の測定用リード線８０の第１〜第６の線心８１ａ〜８１ｆに対応しており、第７〜第１２までの確認ランプ１０４Ｇ〜１０４Ｌは、第２の検知コネクタ５３の第１〜第６の検知コネクタ電極５３ａに接続された第２の測定用リード線８０の第１〜第６の線心８１ａ〜８１ｆに対応している。
【００４７】
図８には、第１の断線確認ランプ１０４Ａに関連した電気回路のみを示し、第２〜第１２の断線確認ランプ１０４Ｂ〜１０４Ｌに関連した電気回路は省略されている。
【００４８】
第１の断線確認ランプ１０４Ａは、その一端がプラス（＋）電源に接続され、他端は第１の確認ランプ用トランジスタ１０５Ａのエミッタに接続される。トランジスタ１０５Ａのコレクタは接地され、ベースは第１の測定用リード線８０の第１の線心８１ａを介して第１の検知コネクタ５３の第１の検知コネクタ電極５３ａに接続される。
【００４９】
第１の断線確認ランプ１０４Ａとは平行に配置してプラス（＋）電源にブザー１０６が配置される。ブザー１０６と接地間に第１のスイッチングトランジスタ１０７Ａが配置され、トランジスタ１０７のコレクタがブザー１０６に接続され、エミッタが接地される。又、トランジスタ１０７Ａのベースは、上記第１の測定用リード線８０の第１の線心８１ａを介して第１の検知コネクタ５３の第１の検知コネクタ電極５３ａに接続される。
【００５０】
図８には省略されているが、同様に、第２〜第６及び第７〜第１２の確認ランプ１０４Ｂ〜１０４Ｆ及び１０４Ｇ〜１０４Ｌ、第２〜第６及び第７〜第１２の確認ランプ用トランジスタ１０５Ｂ〜１０５Ｆ及び１０５Ｇ〜１０５Ｌ、並びに、第２〜第６及び第７〜第１２のスイッチングトランジスタ１０７Ｂ〜１０７Ｆ及び１０７Ｇ〜１０７Ｌが配置され、それぞれ上述と同じ態様にて、第１の測定用リード線８０の第２〜第６の線心８１ｂ〜８１ｆを介して第１の検知コネクタ５３の対応の電極５３ａ、及び第２の測定用リード線８０の第７〜第１２の線心８１ａ〜８１ｆを介して第２の検知コネクタ５３の対応の電極５３ａに接続される。尚、第２〜第１２のスイッチングトランジスタ１０７Ｂ〜１０７Ｌのコレクタは、図８に示すように、第１のスイッチングトランジスタ１０７Ａのコレクタが接続されている同じ上記ブザー１０６に接続される。
【００５１】
検知線１０の断線測定において、図６に示すように、被試験ケーブル１の端末部１Ａの第１及び第２検知コネクタ５３に、一端が断線検出器１００に接続されている第１及び第１測定用リード線８０の検知ソケット９０を接続し、電源スイッチ１０３をＯＮとする。電源表示ランプ１０２が点灯しなければ、電池切れであり、電池の交換を必要とする。
【００５２】
電源表示ランプ１０２が点灯した場合には測定が可能であり、検知線１０の断線がなく、検知コネクタ電極５３ａと、保護金具３４を介して接地状態にある保護筒５０との間が導通状態とされれば、断線確認ランプ１０４（１０４Ａ〜１０４Ｌ）が点灯し、ブザー１０６は鳴らない。
【００５３】
もし、検知線１０が断線しており、検知コネクタ電極５３ａと保護筒５０間の導通がない場合には、所定箇所の断線確認ランプ１０４（１０４Ａ〜１０４Ｌ）が消灯すると共にブザー１０６が鳴り、遮蔽編組層３の検知線（エナメル線）１０が断線していることを示す。従って、消灯している断線確認ランプの箇所を数えることにより、検知線１０の断線本数が判定できる。
【００５４】
非測定時、即ち、ケーブル使用時には、図１及び図５に示すように、検知コネクタ５３に金属製の検知コネクタ用キャップ５４を被着することにより、検知コネクタ５３に接続された各検知線１０は互いに接続され、しかも、検知コネクタ用キャップ５４が金属製保護筒５０に電気的に接続されることから、結局は、図５に示すように、各検知線１０は、両端部分１Ａ、１Ｂで金属部分９に接続されることとなる。従って、例え検知線１０が切れた状態で使用したとしても、検知線１０は、検知コネクタ用キャップ５４及び保護筒５０を介して、遮蔽層３とも接続され、接地状態となる。これにより、検知線１０が浮いた状態が回避され、安全性をより向上させることができる。
【００５５】
本発明によれば、錫メッキ軟銅線９の断線本数の増加と検知線（エナメル線）１０の断線数の増加がほぼ追従するので、予め定めた検知線１０の断線本数を基準としてケーブル１の寿命を判断することができる。
【００５６】
本実施例では、検知線１２本に対して、検知線１０の断線本数が２本以下は良とし、３本以上の断線がある場合を不良とし、ケーブル寿命とすることができる。
【００５７】
つまり、本発明に従えば、全ての金属素線９が断線に至る前に遮蔽層３に生じた断線を検知することができる。即ち、集合体単位で断線が生じた場合、その集合体に複合されていた検知線としてのエナメル線１０だけが断線され、他の集合体のエナメル線１０は断線していないため、金属素線９の断線が部分的に生じた段階で遮蔽層３に生じた断線を把握することができる。
【００５８】
又、断線検知線１０を金属素線９よりも早く断線するような材質及び外径とし、この検知線１０の断線を検知すれば、近い将来金属素線９の断線が発生することを予期することができる。
【００５９】
上記実施例では、測定側コンセント端末１Ａに配置した検知コネクタ５３は６Ｐコネクタとしたがこれに限定されるものではなく、種々の検知端子を使用することができる。又、非測定側端末は、図３に示すように、コンセント端末であるとして説明したが、本発明のケーブルは、これに限定されるものではなく、当業者には周知の操作棒取付端末とすることもでき、又、ＰＣ挿入工具取付端末とすることもできる。この場合においても、ケーブル端末処理により露出された遮蔽編組層３を構成する金属部分９及び検知線１０は、十分なオフセットを取り、埋込金具に接続される。
【００６０】
【発明の効果】
以上説明したように、本発明に係る断線検出器は、金属部分、検知線及び非金属部分を有する遮蔽層を備え前記検知線は一端が接地されており、ケーブル端末部には、検知線の断線を検知し遮蔽層の劣化を判定するための検知コネクタを備えた検知機能付きケーブルの検知コネクタに接続し、前記一端が接地された前記検知線の断線を検出するための、断線測定用リード線が接続された断線検出器であって、断線測定用リード線は、複数本の絶縁線心と、複数本の絶縁線心の外周に形成されたシールド層と、当該断線測定用リード線の一端に装着され、検知機能付きケーブルの遮断層が備える各検知線に対応して検知コネクタに設けられ前記検知線の前記接地された端部とは反対側の端部に接続された各コネクタ電極とそれぞれ接続可能な複数の端子を備えた検知ソケットと、を有し、検知ソケットの各端子には複数本の絶縁線心の導体が各々接続され、シールド層は、検知ソケットの外ケースに接続されており、断線検出器は、測定用リード線を介して検知機能付きケーブルの検知コネクタに接続して、各々の検知線の断線を検出可能に回路構成されている構成とされるので、ケーブルの遮蔽層の金属素線の断線が部分的に発生した段階でも断線を容易に検知することのできる検知コネクタを備えた検知機能付きケーブルに対して、ケーブルの検知コネクタにワンタッチで接続して検知線の断線を極めて容易に検出することができ、操作性に優れている、という効果を奏する。
【００６１】
又、本発明の断線検出器は、金属部分、検知線及び非金属部分を有する遮蔽層を備え前記検知線は一端が接地されており、ケーブル端末部には、検知線の断線を検知し遮蔽層の劣化を判定するための検知コネクタを備えた検知機能付きケーブルの検知コネクタに接続し、前記一端が接地された検知線の断線を検出するための、断線測定用リード線が接続された断線検出器であって、断線測定用リード線は、複数本の絶縁線心と、複数本の絶縁線心の外周に形成されたシールド層と、当該断線測定用リード線の一端に装着され、検知機能付きケーブルの遮断層が備える各検知線に対応して検知コネクタに設けられ前記検知線の前記接地された端部とは反対側の端部に接続された各コネクタ電極とそれぞれ接続可能な複数の端子を備えた検知ソケットと、を有し、検知ソケットの各端子には複数本の絶縁線心の導体が各々接続され、シールド層は、検知ソケットの外ケースに接続されており、断線検出器は、電源と、測定される検知線の数に対応して配置され、電源に接続された断線確認ランプと、電源に接続されたブザーと、を備え、測定用リード線を介して検知機能付きケーブルの検知コネクタに接続して、検知線が断線している場合には、対応する断線確認ランプが消灯し、ブザーが鳴るように回路構成されている構成とされるので、ケーブルの遮蔽層の金属素線の断線が部分的に発生した段階でも断線を容易に検知することのできる検知コネクタを備えた検知機能付きケーブルに対して、ケーブルの検知コネクタにワンタッチで接続して検知線の断線を極めて容易に検出することができ、操作性に優れている、という効果を奏する。
【図面の簡単な説明】
【図１】本発明に係る断線測定用リード線にて検知可能な検知機能付きケーブルの測定側端末の構造の一実施例を示す一部断面図である。
【図２】図１の検知機能付きケーブルの端末処理を説明する図である。
【図３】検知機能付きケーブルの非測定側端末の構造の一実施例を示す一部断面図である。
【図４】測定時の測定側端末及び非測定側端末の電気的接続態様を説明する図である。
【図５】非測定時の測定側端末及び非測定側端末の電気的接続態様を説明する図である。
【図６】ケーブルの寿命検知測定方法を説明する図である。
【図７】本発明に係る断線測定用リード線の構成を示す断面図である。
【図８】本発明に係る断線測定用リード線を使用した断線検出器の一実施例の回路構成図である。
【図９】本発明に使用し得るケーブルの一実施例を示す斜視図である。
【図１０】本発明に使用し得るケーブルの一実施例を示す断面図である。
【図１１】従来のバイパスケーブルの遮蔽層を示す斜視図である。
【符号の説明】
１                                                    検知機能付きケーブル
３                                                    遮蔽編組層
９                                                    金属部分（金属素線）
１０                                                検知線
１１                                                非金属部分（綿糸）
３０                                                端末モールド
３４                                                保護金具
５０                                                保護筒
５３                                                検知コネクタ
５４                                                検知コネクタ用キャップ
８０                                                測定用リード線
８１ａ〜８１ｆ                            絶縁線心
８６                                                シールド層
９０                                                検知ソケット
９０Ａ                                            外ケース
１００                                            断線検出器
【図１】
0003563275.tif 000004
【図２】
0003563275.tif 000005
【図３】
0003563275.tif 000006
【図４】
0003563275.tif 000007
【図５】
0003563275.tif 000008
【図６】
0003563275.tif 000009
【図７】
0003563275.tif 000010
【図８】
0003563275.tif 000011
【図９】
0003563275.tif 000012
【図１０】
0003563275.tif 000013
【図１１】
0003563275.tif 000014